(57)【要約】【課題】波長が異なる複数の光源を１ライン毎に切り替えてカラー画像を取得する画像読取装置において、各色のシェーディングデータを取得するための移動動作を短縮することを可能にすることである。【解決手段】移動シェーディングによって取得するデータを１つの光源からの色成分に限定し、その色成分のシェーディングデータと他の色成分の１ライン分の光量の平均値と黒の１ライン分の光量の平均値より残りの色成分のシェーディングデータを算出する。このように移動シェーディングは１色成分のみで行うため、シェーディングデータを取得するための移動動作を短縮することができる。さらに、装置の騒音を抑え、読取開始までの時間を短くすることができる。【選択図】  図４
2018078425.tif 000002
【特許請求の範囲】
【請求項１】
複数の光を照射する照射部と、予め定められた第１の方向に配列された複数の光電変換素子と、前記照射部から照射される複数の光を共通の光電変換素子で受光する撮像部とを含み、原稿画像を光学的に読み取り可能な読取手段と、
前記照射される複数の光のうちの少なくとも１つの光による基準部材からの反射光に基づいて第１のシェーディングデータを取得する第１の取得手段と、
前記第１の取得手段により取得される前記第１のシェーディングデータに基づいて、前記照射される複数の光のうち前記反射光に含まれない照射光に対応する第２のシェーディングデータを生成する生成手段とを有することを特徴とする画像読取装置。
【請求項２】
前記照射部は、異なる色の光を照射する複数の光源を有し、
前記複数の光源それぞれから複数の光を照射し、前記基準部材からの反射光に基づいて前記複数の光源それぞれからの照射光の比率を算出する算出手段をさらに有し、
前記生成手段は、前記第１のシェーディングデータと前記比率に基づいて前記第２のシェーディングデータを生成することを特徴とする請求項１に記載の画像読取装置。
【請求項３】
前記読取手段を前記第１の方向と異なる第２の方向に移動可能な移動手段をさらに有し、
前記第１の取得手段は、前記複数の光源のうちの１つの光源から光を照射し、前記移動手段によって前記読取手段を移動させながら取得する前記基準部材からの反射光に基づいて前記第１のシェーディングデータを取得することを特徴とする請求項２に記載の画像読取装置。
【請求項４】
前記複数の光源すべてを消灯した状態で前記基準部材からの反射光を受光してシェーディング補正のための黒のオフセットに対応するデータを取得する第２の取得手段をさらに有し、
前記算出手段はさらに、前記第２の取得手段により取得された黒のオフセットに対応するデータを用いて前記比率を算出することを特徴とする請求項２又は３に記載の画像読取装置。
【請求項５】
前記算出手段は、前記複数の光源それぞれからの光を前記基準部材へ照射した際に取得されるそれぞれのデータの平均値を用いて前記比率を算出することを特徴とする請求項４に記載の画像読取装置。
【請求項６】
前記平均値を格納する記憶手段をさらに有することを特徴とする請求項５に記載の画像読取装置。
【請求項７】
前記生成手段は、前記平均値を用いて算出された前記比率と、前記第２の取得手段により取得された黒のオフセットに対応するデータの平均値を用いて、他のデータに対応する色のシェーディングデータを生成することを特徴とする請求項５に記載の画像読取装置。
【請求項８】
前記複数の光源は、赤色ＬＥＤと、緑色ＬＥＤと、青色ＬＥＤであることを特徴とする請求項２乃至７のいずれか１項に記載の画像読取装置。
【請求項９】
複数の光を照射する照射部と、予め定められた第１の方向に配列された複数の光電変換素子と、前記照射部から照射される複数の光を共通の光電変換素子で受光する撮像部とを含み、原稿画像を光学的に読み取り可能な読取手段とを備える画像読取装置におけるシェーディングデータの生成方法であって、
前記照射される複数の光のうちの少なくとも１つの光による基準部材からの反射光に基づいて第１のシェーディングデータを取得する取得工程と、
前記取得工程において取得される前記第１のシェーディングデータに基づいて、前記照射される複数の光のうち前記反射光に含まれない照射光に対応する第２のシェーディングデータを生成する生成工程とを有することを特徴とするシェーディングデータの生成方法。
【発明の詳細な説明】
【技術分野】
【０００１】
本発明は画像読取装置、及びシェーディングデータの生成方法に関し、特に、例えば、原稿台上に載置された原稿に記録された画像を光学的に読取る画像読取装置、及びそのシェーディングデータの生成方法に関する。
【背景技術】
【０００２】
複写機、ファクシミリ、複写機能とファクシミリ機能を備えた複合機などでは原稿読取の際に一般に、原稿台上に読取面が下向きになるよう原稿を載置する。そして、原稿に光を照射し、原稿によって反射された光を読取ユニットを走査させながら受光し、これを光電変換して得られた画像信号を出力することにより画像読取を実行する。
【０００３】
従来より、画像読取前に、画像信号のバラつきを調整するために白シェーディングが実行されている。白シェーディングとは基準白色板の読取値を用いた白校正処理である。白シェーディングを実行することで、読取画像全体が平均的に一様な明るさとなるように補正することができる。具体的には、基準白色板のある一定領域に光源を点灯させた状態で読取を行い白レベルの補正データを生成する。そして、画像読取時には、白レベルの補正データを用いて、読取画像の画像信号の白レベルを補正する。
【０００４】
また、シェーディングには固定シェーディングと移動シェーディングとがある。固定シェーディングとは白レベルの補正データを得るための読取動作を基準白色板内の１箇所で行う処理である。一方、移動シェーディングとは読取ユニットを原稿の幅方向（主走査方向）と直交する方向（副走査方向）に移動させながら、読取動作を基準白色板内の複数箇所で行い、その読取で得られた画像信号の平均値を補正データとする処理である。特に、移動シェーディングは、読取ユニットを移動させながら読取を行うので、基準白色板は一定以上の走査幅が必要になる。
【０００５】
さて、波長が異なる複数の光源等、複数の光を照射する光源を１ライン毎に切り替えてカラー画像を取得する画像読取装置によってシェーディング処理を行う場合、各色成分ごとに数ライン分のデータを取得し、平均値を補正データとする。Ｒ（赤）、Ｇ（緑）、Ｂ（青）の３色成分から構成されるカラー画像を読取る場合、読取ユニットが白黒画像の読取りに比べ３倍の移動距離となることを考慮した基準白色板が必要となり、装置のコストアップや装置の大型化等の問題があった。
【０００６】
そのため、基準白色板の幅を大きくすることなく、シェーディング補正を施した画像信号の出力が可能な、波長が異なる複数の光源を１ライン毎に切り替えてカラー画像データを取得する画像読取装置が提案されている（特許文献１参照）。
【先行技術文献】
【特許文献】
【０００７】
【特許文献１】特開平１１−３４１２３７号公報
【発明の概要】
【発明が解決しようとする課題】
【０００８】
しかしながら上記従来例のようなシェーディング補正方法では３色成分の複数のシェーディングデータを取得するために、読取ユニットの移動を異なる方向で繰り返す必要がある。このため、シェーディング動作時における画像読取装置の騒音やそのシェーディング動作時間が長くなってしまう等の問題があった。
【０００９】
本発明は上記従来例に鑑みてなされたもので、複数の光源を用いて画像を読取る際の各シェーディングデータ取得のための時間を短縮可能な画像読取装置、及びシェーディングデータの生成方法を提供することを目的とする。
【課題を解決するための手段】
【００１０】
上記目的を達成するために本発明の画像読取装置は次のような構成からなる。
【００１１】
即ち、複数の光を照射する照射部と、予め定められた第１の方向に配列された複数の光電変換素子と、前記照射部から照射される複数の光を共通の光電変換素子で受光する撮像部とを含み、原稿画像を光学的に読み取り可能な読取手段と、前記照射される複数の光のうちの少なくとも１つの光による基準部材からの反射光に基づいて第１のシェーディングデータを取得する第１の取得手段と、前記第１の取得手段により取得される前記第１のシェーディングデータに基づいて、前記照射される複数の光のうち前記反射光に含まれない照射光に対応する第２のシェーディングデータを生成する生成手段とを有することを特徴とする。
【発明の効果】
【００１２】
従って本発明によれば、シェーディングデータを取得するための移動動作を短縮することができるという効果がある。
【図面の簡単な説明】
【００１３】
【図１】本発明の代表的な実施例である光学的に原稿の画像を読取る画像読取装置の構成を示す側断面図である。
【図２】図１に示す画像読取装置の制御構成を示すブロック図である。
【図３】カラーの画像読取動作を示すフローチャートである。
【図４】カラー読取のシェーディング動作を示すフローチャートである。
【図５】シェーディングデータの配列を示した図である。
【図６】ＬＥＤ点灯パターンの差によるシェーディングデータと主走査方向の位置との関係を示す図である。
【発明を実施するための形態】
【００１４】
以下添付図面を参照して本発明の好適な実施例について、さらに具体的かつ詳細に説明する。
【００１５】
なお、この明細書において、「シート（又は、記録媒体）」とは、一般的な画像読取装置で用いられる画像の原稿用紙や印画紙のみならず、広く、布、プラスチック・フィルム（ＯＨＰ）、金属板、木材、皮革等、画像の記録が可能な媒体を含むものである。
【００１６】
＜画像読取装置の概要（図１〜図２）＞
図１は本発明の代表的な実施例である光学的にカット紙などの原稿の画像を読取る画像読取装置１の概略構成を示す側断面図である。画像読取装置１はＣＩＳユニット１３を使用して光を原稿に照射し、原稿による反射光を受光し、これを光電変換して電気信号を生成することにより、原稿の画像を読取り画像データを生成する。
【００１７】
図１に示すように、ＣＩＳユニット１３は照明部１３１と光学レンズ１３３と撮像部１３４とにより構成され、原稿の載置側とは反対側に原稿台ガラス１４に密着するように配置される。照明部１３１は光源として赤色ＬＥＤ、緑色ＬＥＤ及び青色ＬＥＤの３つを備えた白色タイプの導光管を含み、原稿台ガラス１４に対して所定角度だけ傾斜する方向から原稿を照明する。原稿台ガラス１４の上部にはプラテンカバー（不図示）が備えられる。
【００１８】
また、光学レンズ１３３はセルフォック（登録商標）レンズ等から構成され、照明部１３１から照射され原稿面にて反射された光を、所定の結像位置へと導き、原稿からの反射光を等倍で読み取る。
【００１９】
撮像部１３４は複数の光電変換素子等から構成され、光学レンズ１３３により所定の結像位置へと導かれた光を撮像する。この実施例では、撮像部１３４はＣＭＯＳセンサであるとする。撮像部１３４で撮像された原稿から生成された画像データは、画像記憶部（後述）に格納される。このような構成のＣＩＳユニット１３は駆動ベルト１６に装着され、ガイドレール１７に沿って副走査方向にスキャナモータ１８の駆動力が駆動ベルト１６を介して伝達されることにより移動する。
【００２０】
画像読取装置１は、ＣＩＳユニット１３をスキャナモータ１８の駆動力により副走査方向（矢印Ｈ方向）に移動させながら、ＣＩＳユニット１３を紙面とは垂直（一般には交差）方向（主走査方向）に電気的に走査することにより原稿１５の画像を読取る。一般的に、スキャナモータ１８にはステッピングモータやＤＣモータ等が用いられる。また、画像読取時には、原稿台ガラス１４の端部に設けられた基準白色板１１に光を照射して、その反射光からシェーディング補正を行うための基準信号を得る。また、基準白色板１１の横にはユーザが原稿１５を先端基準位置に突き当てるための原稿突き当て板１２が取り付けられている。原稿突き当て板１２は原稿台ガラス１４の上面に配置される。
【００２１】
以上の構成において、原稿台ガラス１４に載置された原稿の画像読取を行う際には、予め基準白色板１１を用いたシェーディング補正が行われる。
【００２２】
なお、矢印Ｆが副走査方向の前進方向を指し、矢印Ｂがその後進方向を指す。
【００２３】
図２は図１に示した画像読取装置１の制御構成を示すブロック図である。
【００２４】
ＣＩＳユニット１３はＬＥＤ駆動回路（ドライバ）３により主走査方向に１ライン毎に照明部１３１の光量調整で行った点灯時間に合わせ、原稿１５の画像を読取る。ＬＥＤ駆動回路３は照明部１３１を任意のＰＷＭのデューティで点灯させることが可能である。
【００２５】
さらに、ＣＩＳユニット１３の照明部１３１は赤色ＬＥＤ１３１１、緑色ＬＥＤ１３１２、及び青色ＬＥＤ１３１３の３つの光源を備え、これら３つの光源により白色光を生成することができる。
【００２６】
増幅器（ＡＭＰ）２１はＣＩＳユニット１３より出力された電気信号を増幅し、Ａ／Ｄ変換回路２２はその増幅された電気信号をＡ／Ｄ変換して、例えば、各画素を１６ビットの輝度値として表現するデジタル画像データを出力する。なお、Ａ／Ｄ変換回路２２を含め、Ａ／Ｄ変換のために必要な構成をまとめて変換部という。ＣＩＳユニット１３が出力する１ライン分の画像信号は、赤色ＬＥＤ１３１１、緑色ＬＥＤ１３１２、青色ＬＥＤ１３１３を順次点灯することにより得られ、１ラインずつ線順次で主走査同期信号に同期してＡ／Ｄ変換回路２２に入力される。
【００２７】
Ａ／Ｄ変換回路２２により出力されたデジタル画像データ（以下、画像データ）はデジタル処理部６に入力され、デジタル処理部６はその画像データを画像処理する。デジタル処理部６に含まれるメモリ６１は、画像データを記憶し、インクジェットプリンタや電子写真方式を用いたレーザビームプリンタ等の印刷装置、さらには他の外部装置とのインタフェースに接続し画像転送を行うことができる。このインタフェースには、例えば、ＵＳＢ等のシリアルインタフェース、有線／無線ネットワークのネットワークインタフェースがある。画像読取装置１は、インタフェースを介して接続される外部装置からの指示に応じて、画像読取動作を実行する。あるいは、画像読取装置１に備わる操作部（不図示）に対するユーザ操作に応じて画像読取動作を実行する。
【００２８】
なお、その操作部はディスプレイ等の表示部と入力キー等の入力操作部を備え、ユーザインタフェースとしての機能を提供する。その表示部のディスプレイには、機器の状態をユーザに通知したり、ユーザに入力操作を案内するためのメッセージが表示される。また、ユーザは入力キーを操作して必要な指示を入力する。
【００２９】
タイミング発生回路４はＣＰＵ５の設定に応じて、主走査方向に１ライン毎のＰＷＭデューティを変化させて、ＬＥＤ駆動回路３にＬＥＤの点灯ＯＮ／ＯＦＦの制御信号を送信することでＬＥＤの光量調整を可能にしている。具体的には、ＬＥＤ駆動回路３に照明部１３１に含まれる赤色ＬＥＤ１３１１、緑色ＬＥＤ１３１２、青色ＬＥＤ１３１３の点灯ＯＮ／ＯＦＦの制御信号を送信することで、ＬＥＤの光量調整を可能している。
【００３０】
なお、ＣＰＵ５が画像読取装置１の全体を制御する。そのため、ＣＰＵ５はＲＯＭ５２に格納された制御プログラムをＲＡＭ５１を作業領域として用いて実行することで、その制御を実行する。
【００３１】
また、デジタル処理部６のメモリ６１は、画像データとシェーディング基準データを記憶する。デジタル処理部６のシェーディング補正部６２はメモリ６１に格納されているシェーディング基準データに基づきＡ／Ｄ変換回路２２によって変換された画像データにシェーディング補正を施す。
【００３２】
次に、以上の構成の画像読取装置１が実行するカラー画像原稿の読取とシェーディング補正方法について説明する。
【００３３】
図３はカラー画像原稿の読取動作を示すフローチャートである。
【００３４】
まず、ステップＳ１０１ではユーザによってカラー画像読取の指示があったかどうかを調べる。ここで、そのような読取指示がない場合、処理はそのまま終了するが、カラー画像読取の指示があった場合、処理はステップＳ１０２に進む。
【００３５】
ステップＳ１０２ではカラーシェーディング処理を実行する。その処理の詳細については後述する。
【００３６】
次にステップＳ１０３では、照明部１３１に含まれる赤色ＬＥＤ１３１１、緑色ＬＥＤ１３１２、青色ＬＥＤ１３１３を主走査方向に１ライン毎に切り替え、順次点灯させる。さらにステップＳ１０４では、スキャナモータ１８を駆動してＣＩＳユニット１３を移動させ、原稿台ガラス１４に載置されている原稿１５の画像の読取を開始する。その読取では、照明部１３１に含まれる３つのＬＥＤを１ラインごとに切り替えて点灯させ、その点灯するＬＥＤの各色に応じて生成される、赤（Ｒ）データ、緑（Ｇ）データ、青（Ｂ）データをデジタル処理部６に転送する。この時、転送される各色成分データはシェーディング補正部６２によるカラーシェーディング処理で算出したシェーディング係数を用いて補正される。
【００３７】
予め指定されていた読取原稿のサイズに応じてＣＩＳユニット１３の移動距離が異なるため、ステップＳ１０５では画像読取が終了したか否かを調べ、カラー画像読取が終了したと判断されると、処理はステップＳ１０６に進む。なお、画像読取が終了するまでは照明部１３１のＬＥＤ点灯とＣＩＳユニット１３の移動、画像データの取得を繰り返す。
【００３８】
ステップＳ１０６では照明部１３１のＬＥＤを消灯し、ステップＳ１０７ではＣＩＳユニット１３を基準白色板１１の下に移動させ、次の画像読取が直ちに実行できるように待機状態にして処理を終了する。
【００３９】
次に図４〜図５を用いて、カラーシェーディング処理の詳細について説明をする。
【００４０】
図４は図３に示したステップＳ１０２におけるカラーシェーディング処理の詳細を示すフローチャートである。
【００４１】
図５はシェーディングデータの配列を概念的に示す図である。
【００４２】
まずステップＳ２０１では基準白色板１１の下部にＣＩＳユニット１３を移動させ、撮像部１３４が基準白色板１１を読取可能な状態にして移動を停止させる。次に、ステップＳ２０２では照明部１３１に含まれるＬＥＤを全て消灯し、撮像部１３４に光が入射しない状態とする。さらに、ステップＳ２０３では、ＬＥＤ全消灯状態で基準白色板１１を読取って黒のシェーディングデータＢＫSHDを取得し、これをメモリ６１に格納する。また、黒のシェーディングデータＢＫSHDが示す輝度値を主走査方向に平均化し、これを黒の平均値ＢＫAVEとしてメモリ６１に格納する。
【００４３】
図５に示すように黒のシェーディングデータＢＫSHD（ｉ）は１次元のマトリックスとなっており、主走査方向の各画素に対応したＮ個データによって構成される。ここで、ｉ＝１〜Ｎ（Ｎは自然数）である。
【００４４】
図４に戻って説明を続けると、ステップＳ２０４では緑色ＬＥＤ１３１２を点灯し、撮像部１３４に緑色ＬＥＤ１３１２の光が入射する状態とする。そして、ステップＳ２０５では、基準白色板１１を読取って緑のシェーディングデータを取得し、この輝度値を主走査方向に平均化し、これを緑の平均値ＧAVEとしメモリ６１に格納する。
【００４５】
ステップＳ２０６では、青色ＬＥＤ１３１３を点灯し、撮像部１３４に青色ＬＥＤ１３１３の光が入射する状態とする。そして、ステップＳ２０７では、青のシェーディングデータを取得し、この輝度値を主走査方向に平均化し、これを青の平均値ＢAVEとしメモリ６１に格納する。さらに、ステップＳ２０８では、赤色ＬＥＤ１３１１を点灯し、撮像部１３４に赤色ＬＥＤ１３１１の光が入射する状態とする。そして、ステップＳ２０９では、赤のシェーディングデータを取得し、この輝度値を主走査方向に平均化し、これを赤の平均値ＲAVEとし、メモリ６１に格納する。
【００４６】
ステップＳ２１０では、緑（Ｇ）成分の赤（Ｒ）成分に対する輝度倍率Ｇａｉｎ（Ｇ）を式（１）を用いて求める。式（１）は次のように表わされる。即ち、
Ｇａｉｎ（Ｇ）＝（ＧAVE−ＢＫAVE）／（ＲAVE−ＢＫAVE）……（１）
である。式（１）によれば、黒のオフセット成分を除いて輝度倍率を算出するため、緑の平均値ＧAVEと赤の平均値ＲAVEそれぞれ黒の平均値ＢＫAVEとの差から倍率を算出している。
【００４７】
同様に、ステップＳ２１１では、青（Ｂ）成分の赤（Ｒ）成分に対する輝度倍率Ｇａｉｎ（Ｇ）を式（２）を用いて求める。式（２）は次のように表わされる。即ち、
Ｇａｉｎ（Ｂ）＝（ＢAVE−ＢＫAVE）／（ＲAVE−ＢＫAVE）……（２）
である。
【００４８】
次にステップＳ２１２では、赤色ＬＥＤ１３１１を点灯させたままＣＩＳユニット１３を移動させながら、基準白色板１１を読取り、副走査方向にＭライン分のＲ成分データを取得する。取得したＲ成分データは、図５に示すように、２次元の配列となっている。一方、赤のシェーディングデータＲSHDは１次元の配列となっている。
【００４９】
さらにステップＳ２１３では、取得したＭライン分のＲ成分データより副走査方向の平均値を求め、赤のシェーディングデータＲSHDのデータを算出する。つまり、主走査方向にＮ個からなる１ライン分のＲ成分データを取得し、これを副走査方向にＭライン分まで取得したＲ成分データを、主走査方向に関して同じ位置のデータを合算し、Ｍで割って平均値を求めるのである。そして、その平均値を赤のシェーディングデータＲSHDとして、主走査方向の各位置ごとにメモリ６１に格納する。
【００５０】
ステップＳ２１４では、緑のシェーディングデータＧSHDを次の３つの要素を用いて生成する。３つの要素とは、赤のシェーディングデータＲSHDと緑成分の赤成分に対する輝度倍率Ｇａｉｎ（Ｇ）と黒のシェーディングデータＢＫSHDである。具体的には、式（３）を用いて緑のシェーディングデータＧSHDを算出する。式（３）は次のように表わされる。即ち、
ＧSHD＝（ＲSHD−ＢＫSHD）×Ｇａｉｎ（Ｇ）＋ＢＫSHD……（３）
である。式（３）では、黒のオフセット分を取り除くためにＲSHDからＢＫSHDを引き、その値と緑（Ｇ）の輝度倍率Ｇａｉｎ（Ｇ）の積を算出し、黒のオフセット分、ＢＫSHDを加算する。ここで、Ｇａｉｎ（Ｇ）は定数である。図５に示すように、緑のシェーディングデータＧSHDは赤のシェーディングデータＲSHDと同様に１次元のマトリックスとなっており、主走査方向の各画素に対応したＮ個のデータによって構成される。従って、ＧSHD（ｉ）（ｉ＝１〜Ｎ）の算出は、主走査方向の座標に対応したＲSHDとＢＫSHDの値を用いて行う。算出後、緑のシェーディングデータＧSHDはメモリ６１に格納される。
【００５１】
同様にステップＳ２１５では、青シェーディングデータＢSHDを式（４）を用いて生成する。式（４）は次のように表わされる。即ち、
ＢSHD＝（ＲSHD−ＢＫSHD）×Ｇａｉｎ（Ｂ）＋ＢＫSHD……（４）
である。
【００５２】
これで、カラーシェーディング処理を終了する。
【００５３】
図６は各色成分のシェーディングデータと主走査方向の位置との関係を示す図である。
【００５４】
図６に示されるように、撮像部１３４から出力される輝度値レベルは、主走査方向の位置によってバラツキが生じる。このバラツキ原因のほとんどは、センサ感度のバラツキ、レンズのバラツキ、照明の光量バラツキによるものである。この実施例では、照明部１３１に導光管を用いているため、使用するＬＥＤによる主走査方向に関する相対的な光量バラツキは変わらない。また、センサ感度やレンズにおいても同様である。図６に示した各色成分のシェーディングデータの輝度値の絶対値は異なるが、バラツキの特性や傾向は類似している。
【００５５】
このため、赤色ＬＥＤ１３１１、緑色ＬＥＤ１３１２及び青色ＬＥＤ１３１３を点灯して基準白色板１１を読取って生成したデータの平均値からそれぞれの光量比率を求め、その比率に応じて各色のシェーディングデータを求めることが可能になるのである。
【００５６】
この実施例では、図４〜図５に示すように赤のシェーディングデータＲSHDに基づいて緑のシェーディングデータＧSHDと青のシェーディングデータＢSHDを算出して求めている。つまり、Ｇ成分のＲ成分に対する輝度倍率とＢ成分のＲ成分に対する輝度倍率とを求め、これらの輝度倍率をＲ成分のシェーディングデータにかけることで、緑と青それぞれのシェーディングデータを求めるのである。実際にＣＩＳユニットを移動させてシェーディングを行うのは赤のシェーディングデータＲSHDを取得する時のみとなる。
【００５７】
従って以上説明した実施例に従えば、各色成分のシェーディングデータを取得するためＣＩＳユニットを移動させる動作を削減することができ、より短時間に全ての色成分のシェーディングデータを取得することができる。これにより、シェーディング動作に伴うＣＩＳユニットの移動に要する時間が削減され、これに伴って騒音が発生する時間を抑える効果と画像読取開始までの時間を短くする効果がある。
【００５８】
なお、上述した実施例では、赤のシェーディングデータを基準に緑のシェーディングデータと青のシェーディングデータを算出しているが、基準に使用する色成分データを赤に限定する必要はなく、青又は緑成分のデータを基準することもできる。
【００５９】
また、上述した実施例では、赤青緑の３色の異なる色の光源を用いて、１色のシェーディングデータに基づいてその他のシェーディングを算出していたが、異なる色に限定する必要はない。例えば、緑の光源を２つ用いる際に、一方のシェーディングデータを用いて他方のシェーディングデータを算出することもできる。
【００６０】
また、上述した実施例では、副走査方向にＣＩＳユニットを移動させながら基準白色板を読取ることでシェーディングデータを取得する構成としたが、本発明はこれによって限定されるものではない。例えば、移動シェーディングではなく、主走査１ラインの読取結果から複数のシェーディングデータを生成する際に同じ構成を用いてもよい。
【００６１】
さらに、上述した実施例では、単機能の画像読取装置（スキャナ装置）を例として説明したが本発明はこれによって限定されるものではない。本発明は、例えば、画像読取装置（スキャナ装置）と画像形成装置（ＬＢＰ）とＡＤＦ装置が一体化した複写機システムにも適用できるし、さらに複写機システムにファクシミリ機能を加えた複合システムとしても良い。そして、これらシステムの画像形成部には電子写真方式に従うプリンタエンジンのみならず、インクジェット記録方式を採用したプリンタエンジンを備えても良い。
【符号の説明】
【００６２】
１  画像読取装置、３  ＬＥＤ駆動回路、４  タイミング発生回路、５  ＣＰＵ、
６  デジタル処理部、１１  基準白色板、１２  原稿突き当て板、
１３  ＣＩＳユニット、１４  原稿台ガラス、１５  原稿、１６  駆動ベルト、
１７  ガイドレール、１８  モータ、２１  増幅器（ＡＭＰ）、２２  Ａ／Ｄ変換回路、
６１  メモリ、６２  シェーディング補正部
【図１】
2018078425.tif 000003
【図２】
2018078425.tif 000004
【図３】
2018078425.tif 000005
【図４】
2018078425.tif 000006
【図５】
2018078425.tif 000007
【図６】
2018078425.tif 000008